(57)【要約】【課題】小額であれば広告等メールを受け取ることにより有料コンテンツや商品の代金を代替払いできること。また支払いの一部に当てることが出来ること。事前準備が不要で、居ながらにしてインターネット上で購入や有料サービスの支払いができるようにすること。小額が支払いできること。支払いの簡便を図ること。メールアドレスを介してパスワードを安全に渡す。メールアドレスを安全か分別する。【解決手段】電子メールアドレスを介してＩＤとパスワードを設定し、その電子メールアドレスへの広告等を発信することにより広告収入を得て有料コンテンツや商品代金の支払い、又は支払いの一部に当てる。電子メールを介して本人確認する。支払いを期間でまとめて行い支払いやすい様にする。パスワードを安全に届けるためＷＥＢサービスを介して行う。ドメインイより利用者を分別する。【選択図】        図１
2004206270.tif 000002
【特許請求の範囲】
【請求項１】
下記のａ乃至ｅのステップから成る電子メールによる支払いシステム
ａ．利用者の要求により端末機は支払いシステムのサーバに通信回線を介して接続し、利用者のメールアドレスを提示してＩＤとパスワードの設定を要求し、支払いシステムのサーバは上記メールアドレスへの電子メールを介して上記利用者との間でＩＤとパスワードを設定しメールアドレスと共にその記憶部に保存するステップ。
ｂ．上記利用者の要求の都度、端末機は支払いシステムのサーバに通信回線を介して接続し上記設定したＩＤ、パスワード及び金額と支払い先を提示しその金額の代替払いを要求するステップ。
ｃ．支払いシステムのサーバは上記ｂの都度、上記ＩＤ、上記金額及び上記支払い先を支払データとしてその記憶部に保存するステップ。
ｄ．上記ａで提示されたメールアドレスへ電子メールを発信することにより支払いシステムの運営者が収入を得るステップ。
ｅ．支払いシステムの運営者はサーバを用いて、上記ｃで保存した支払いデータを支払い先ごとに合算し上記ｄの広告収入の中から上記合算した金額を支払うステップ。
【請求項２】
下記のａ乃至ｅのステップから成る電子メールによる支払いシステム
ａ．利用者の要求により端末機は支払いシステムのサーバに通信回線を介して接続し、利用者のメールアドレスを提示してＩＤとパスワードの設定を要求し、支払いシステムのサーバは上記メールアドレスへの電子メールを介して上記利用者との間でＩＤとパスワードを設定しメールアドレスと共にその記憶部に保存するステップ。
ｂ．上記利用者の要求の都度、端末機は支払いシステムのサーバに通信回線を介して接続し上記設定したＩＤ、パスワード及び金額と支払い先を提示しその金額の一部の代替払いを要求するステップ。
ｃ．支払いシステムのサーバは上記ｂの都度、上記ＩＤ、上記金額、上記一部の代替払い金額及び上記支払い先を支払データとしてその記憶部に保存するステップ。
ｄ．上記ａで提示されたメールアドレスへ電子メールを発信することにより支払いシステムの運営者が収入を得るステップ。
ｅ．支払いシステムの運営者はサーバを用いて、上記ｃで保存した支払いデータの中の代替払い金額を支払い先ごとに合算し上記ｄの広告収入の中から該支払い先へ上記合算した金額を支払うステップ。
【請求項３】
下記のａ乃至ｆのステップから成る電子メールによる支払いシステム
ａ．利用者の要求により端末機は支払いシステムのサーバに通信回線を介して接続し、利用者のメールアドレスを提示してＩＤとパスワードの設定を要求し、支払いシステムのサーバは上記メールアドレスへの電子メールを介して上記利用者との間でＩＤとパスワードを設定しメールアドレスと共にその記憶部に保存するステップ。
ｂ．上記利用者の要求の都度、端末機は支払いシステムのサーバに通信回線を介して接続し上記設定したＩＤ、パスワード及び金額と支払い先を提示しその金額の一部の代替払いを要求するステップ。
ｃ．支払いシステムのサーバは上記ｂの都度、上記ＩＤ、上記金額、上記代替払い金額及び上記支払い先を支払データとしてその記憶部に保存するステップ。
ｄ．上記ａで提示されたメールアドレスへ電子メールを発信することにより支払いシステムの運営者が収入を得るステップ。
ｅ．支払いシステムの運営者はサーバを用いて、上記ｃで保存した支払いデータの中の代替払い金額を支払い先ごとに合算し上記ｄの広告収入の中から該支払い先へ上記合算した金額を支払うステップ。
ｆ．支払いシステムのサーバは一定期間の上記支払データの金額から代替払い金額を引いた差額をＩＤ毎に合算し、該メールアドレスを介して該利用者の端末機に通知して各利用者に残額の支払いを要求するステップ。
【請求項４】
請求項１、請求項２又は請求項３のａにおいてＩＤとパスワードの設定を要求する際に支払いシステムのサーバは利用者の個人データを取得して、請求項１、請求項２又は請求項３のｄにおいて広告等メールを発信する際に上記取得した個人データを利用することを特徴とする請求項１、請求項２又は請求項３記載の電子メールによる支払いシステム
【請求項５】
請求項１、請求項２又は請求項３のａにおいて支払いシステムのサーバはＩＤとして、提示されたメールアドレスを使用しそのメールアドレスへの電子メールを介して利用者との間でパスワードを設定することにより上記利用者との間でＩＤとパスワードを設定することを特徴とする請求項１、請求項２又は請求項３記載の電子メールによるによる支払いシステム。
【請求項６】
請求項１、請求項２又は請求項３において支払いシステムのサーバはＩＤを決定しパスワードを発行して両者を上記メールアドレスへ電子メールで送信して上記利用者に通知せしめることにより、上記メールアドレスを介して上記利用者との間でＩＤとパスワードを設定することを特徴とする請求項１、請求項２又は請求項３記載の電子メールによる支払いシステム。
【請求項７】
請求項１、請求項２又は請求項３のａにおいて下記のａ乃至ｄのステップからなる、メールアドレスを介して利用者との間でＩＤとパスワードを設定することを特徴とする請求項１、請求項２又は請求項３記載の電子メールによる支払いシステム。
ａ．利用者の要求により端末機は支払いシステムのＷＷＷサーバに通信回線を介してアクセスし、利用者のメールアドレスを提示して、ＩＤとパスワードの設定を要求するステップ。
ｂ．上記サーバは上記アクセス時に上記利用者との間でアクセスパスワードを設定するステップ。
ｃ．支払いシステムの上記サーバはＩＤを決定しパスワードを発行して上記メールアドレスと共にその記憶部に保存し、そのＩＤとパスワードを表示するホームページのアドレスを上記メールアドレスに送信するステップ。
ｄ．支払いシステムの上記サーバは上記アクセスパスワードを提示した端末機からの要求により上記ホームページを上記端末機上に表示し上記ＩＤと上記パスワードを通知するステップ。
【請求項８】
請求項１、請求項２又は請求項３のａにおいて下記のａ乃至ｃのステップからなる、メールアドレスを介して利用者との間でＩＤとパスワードを設定し支払いシステムのサーバの記憶部に保存することを特徴とする請求項１、請求項２又は請求項３記載の電子メールによる支払いシステム。
ａ．利用者の要求により端末機は支払いシステムのサーバに通信回線を介して接続し、利用者のメールアドレス、希望するパスワードを提示してＩＤとパスワードの設定を要求するステップ。
ｂ．支払いシステムのサーバは上記メールアドレスへ電子メールを送信し、その電子メールが上記要求した利用者の端末機に受信されたか否か確認するステップ。
ｃ．上記確認が取れた場合に支払いシステムのサーバは上記提示されたメールアドレスをＩＤとして上記パスワードとともにその記憶部に保存するステップ。
【請求項９】
請求項１、請求項２又は請求項３のａにおいて下記のａ乃至ｃのステップからなる、メールアドレスを介して利用者との間でＩＤとパスワードを設定し支払いシステムのサーバの記憶部に保存することを特徴とする請求項１、請求項２又は請求項３記載の電子メールによる支払いシステム。
ａ．利用者の要求により端末機は支払いシステムのサーバに通信回線を介して接続し、その利用者のメールアドレスと利用者の希望するＩＤとパスワードを提示してＩＤとパスワードの設定を要求するステップ。
ｂ．支払いシステムのサーバは上記メールアドレスへ電子メールを送信し、その電子メールが上記要求した利用者の端末機に受信されたか否か確認するステップ。
ｃ．上記確認が取れた場合に支払いシステムのサーバは上記提示されたメールアドレス、ＩＤ及びパスワードをその記憶部に保存するステップ。
【請求項１０】
請求項１、請求項２又は請求項３のａにおいて支払いシステムのサーバは提示されたメールアドレスのドメインが予め登録されたドメインのリストにあることを確認して、ＩＤとパスワードを設定してメールアドレスと共にその記憶部に保存することを特徴とする請求項１、請求項２又は請求項３記載の電子メールによる支払いシステム。
【発明の詳細な説明】
【０００１】
【発明の属する技術分野】
利用者のメールアドレスを利用して広告等おこない、その広告等収入でインターネット上の小額支払いをおこなうまたは支払いの一部にするインタネット利用技術に関するものである。
【０００２】
【従来の技術】
インターネットの支払いの電子マネーの利用では最初に支払いを行うプリペイド方式が多く、多くは事前の準備が必要である。クレジットカードは小額支払いできないし、持っていなければ使えない。
支払いではないがメールアドレスを用いて特典を与えるものとして、メールアドレスを個人データと共に集めそのメールアドレスに発信した広告等メールでポイントを与え、最終的に特典を与えるシステムが有る。
【０００３】
【発明が解決しようとする課題】
小額であれば広告等メールを受け取ることにより代替払いできること。また支払いの一部に当てることが出来ること。
事前準備が不要で、居ながらにしてインターネット上で購入や有料サービスの支払いができるようにすること。小額が支払いできること。支払いの簡便を図ること。
小額の支払いの簡便を図ること。メールアドレスを介してパスワードを安全に渡す。メールアドレスを安全か分別する。
【０００４】
【課題を解決するための手段】
電子メールアドレスを介してＩＤとパスワードを設定し、電子メールアドレスがあれば購入や、有料サービスの支払いができるようにする。電子メールを介して行うことにより本人確認する。電子メールアドレスに広告等メールを発信することにより収入を得て支払い、又は支払いの一部に当てる。
支払いを期間でまとめて行い支払いしやすい様にする。
パスワードを安全に届けるために電子メールよりセキュリティの高いＷＥＢサービスを介して行う。
【０００５】
【発明の実施と形態】
以下の説明でＣＧＩ（common gateway interface）は広義の意味でＷＷＷサーバにて動く、閲覧データを返すプログラム（ＳＳＩ  server side include）の総称でサブレットその他を含む意味で使用する。
【０００６】
図１を参照して電子メールを利用した代替払いの共通実施方法を説明する。
１）利用者（Ａ１〜Ａｎ）が有料コンテンツ提供者、商品販売者（Ｆ１〜Ｆｎ）のホームページを閲覧し、有料コンテンツを取得又は商品を購入しようとする。本システムの利用が初めての場合は、利用者は端末機（Ｔ１〜Ｔｎ）を用い支払いシステムのサーバ（Ｚ）に通信回線を介して接続し、利用者のメールアドレスを提示してシステムのサーバとの間でＩＤとパスワード設定する。
２）利用者の要求の都度、端末機（Ｔ１〜Ｔｎ）は支払いシステムのサーバ（Z）に通信回線を介して接続し、設定したＩＤ、パスワード及び金額と支払い先を提示しその金額又は一部の代替払いを要求する。
３）支払いシステムの運営者（Ｙ）又は第三者が利用者（Ａ１〜Ａｎ）の電子メールアドレスへ広告等メール（Ｌ１〜Ｌｎ）を発信する。
４）支払いシステムの運営者（Ｙ）が上記広告等メールにより収入を得る。
５）支払システムの運営者（Ｙ）は上記収入から有料コンテンツ提供者、商品販売者（Ｆ１〜Ｆｎ）にコンテンツ料、商品代又はその一部を支払う。（代替払い）
６）さらに有料コンテンツ、商品の金額の一部を代替払いした場合はその有料コンテンツ、商品の残金をメールアドレスを介してそれぞれの利用者（Ａｎ）に請求する。
【０００７】
図２を参照して電子メールを利用した代替払いによる支払い方法を説明する。
ａ１）利用者（Ａ）の要求により端末機（Ｔ）は支払いシステムのサーバ（Ｚ）に通信回線を介して接続し、利用者（Ａ）のメールアドレス（Ｍ１）を提示してＩＤとパスワードの設定を要求し、ａ２）支払いシステムのサーバは上記提示されたメールアドレス（Ｍ２）を介して上記利用者（Ａ）との間でＩＤ（Ｂ１）とパスワード（Ｐ１）を設定し、ａ３）上記メールアドレス（Ｍ２）と共にその記憶部（Ｋ）に保存する。
【０００８】
提示されたメールアドレス（Ｍ２）を介した通信（Ｊ）で上記利用者（Ａ）との間でＩＤ（Ｂ１、Ｂ２）とパスワード（Ｐ１、Ｐ２）を設定するので、提示されたメールアドレス（Ｍ２）が要求をしている利用者（Ａ）本人からのものか否かが確認でき、他人のメールアドレスを利用することが難しくなる。
利用者（Ａ）の端末機（Ｔ）からのメールアドレス（Ｍ１）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
またその後のパスワードの設定は提示されたメールアドレス（Ｍ２）への電子メールを送信してその中で直接やり取りするか、電子メールでホームページのアドレスを送信し間接的に行うことで実現する。ＷＷＷサーバはセキュリティの高いＨＴＴＰＳプロトコルが普及しており、電子メールで直接行うより安全性が高い。
【０００９】
ｂ１）上記利用者（Ａ）の要求の都度、端末機（Ｔ）は支払いシステムのサーバ（Z）に通信回線を介して接続し上記設定したＩＤ（Ｂ２）、パスワード（Ｐ２）及び金額（Ｏ）と支払い先（Ｓ１）を提示しその金額（Ｏ）の代替払いを要求する。
【００１０】
ｂ２）支払いシステムのサーバ（Ｚ）は上記利用者（Ａ）からの要求であるか確認するため、提示されたＩＤ（Ｂ３）のパスワード（Ｐ３）が上記ａで設定した該ＩＤ（Ｂ１）のパスワード（Ｐ１）であることを確認する。
【００１１】
上記ａ１及びｂ１における要求は通常利用者（Ａ）が閲覧、取得しようとするホームページコンテンツの提供者が閲覧、取得に際し課金する方法の一つとして本システムを採用し、利用者（Ａ）がこの課金とその代替払いを承諾して本システムのサーバに要求する。
【００１２】
ｃ１）支払いシステムのサーバ（Ｚ）は上記ｂの都度、上記ＩＤ（Ｂ３）、上記金額（Ｏ）及び上記支払い先（Ｓ１）を支払いデータ（Ｅ１）としてその記憶領域（Ｋ）に保存する。
【００１３】
上記段落（０００９、００１０、００１２）は支払いシステムのサーバ（Ｚ）をＷＷＷサーバとし、そのサーバ（Ｚ）が端末機（Ｔ）上に表示する入力項目の応答で上記データを受信し上記サーバ（Ｚ）のＣＧＩで処理するのが容易である。
【００１４】
利用者（Ａ）と支払システムの運営者との間で予め、又は暗黙の了解によって支払者先（Ｓ１）又は／及び金額（Ｏ）が分かっている場合は、上記提示、保存する支払先（Ｓ１）又は／及び金額（Ｏ）は提示、保存されなくともよい。しかし支払う場合は必ず支払い先（Ｓ１）と金額（Ｏ）が必要であるから、その場合でも予め又は暗黙の了解により支払先（Ｓ１）又は／及び金額は提示、保存されたとみなすことができる。
【００１５】
ｄ１）上記ａで提示されたメールアドレス（Ｍ２）へ広告メール（Ｌ）やアンケートメール等の電子メールを発信することにより、ｄ２）支払いシステムの運営者（Ｙ）が収入（Ｗ）を得る。
【００１６】
広告等メール（Ｌ）は支払いシステムの運営者（Ｙ）がサーバ（Ｚ）を用いて行ってもよいし、電子メールアドレス（Ｍ２）を通知された第三者がサーバを用いて行うこともでも実現できる。後者の場合は支払システムの運営者は広告等メールを発信した第三者から収入を得る。
広告等メール（Ｌ）による収入（Ｗ）は、その発信した広告メール（Ｌ）の件数による広告料、及び／又はその広告メール（Ｌ）の効果による売上の手数料、アンケートメールなどの調査料などがある。
また一度の代替払い要求に対して利用者（Ａ）のメールアドレス（Ｍ２）に送る広告等メールの件数を予め定めた件数にすれば、利用者（Ａ）にとっても受け取るメールの件数が制限されるので利用しやすくなる。
【００１７】
ｅ１）支払いシステムの運営者（Ｙ）はサーバ（Ｚ）を用い上記ｃで保存された支払いデータ（Ｅ１）の中の金額（Ｏ）を支払い先（Ｓ１）毎に合算し、ｅ２）上記ｄの広告等収入（Ｗ）の中から上記支払い先（Ｓ１）毎に合算した金額（Ｃ）を支払う。
【００１８】
図３を参照して電子メールを利用した一部の金額の代替払い方法を説明する。
ａ１）利用者（Ａ）の要求により端末機（Ｔ）は支払いシステムのサーバ（Ｚ）に通信回線を介して接続し、利用者（Ａ）のメールアドレス（Ｍ１）を提示してＩＤとパスワードの設定を要求し、ａ２）支払いシステムのサーバは上記提示されたメールアドレス（Ｍ２）を介して上記利用者（Ａ）との間でＩＤ（Ｂ１）とパスワード（Ｐ１）を設定し、ａ３）上記メールアドレス（Ｍ２）と共にその記憶部に保存する。
【００１９】
提示されたメールアドレス（Ｍ２）を介した通信（Ｊ）で上記利用者（Ａ）との間でＩＤ（Ｂ１、Ｂ２）とパスワード（Ｐ１、Ｐ２）を設定するので、提示されたメールアドレス（Ｍ２）が要求をしている利用者（Ａ）本人からのものか否かが確認でき、他人のメールアドレスを利用することが難しくなる。
利用者（Ａ）の端末機（Ｔ）からのメールアドレス（Ｍ１）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
またその後のパスワードの設定は提示されたメールアドレス（Ｍ２）への電子メールを送信してその中で直接やり取りするか、電子メールでホームページのアドレスを送信し間接的に行うことで実現する。ＷＷＷサーバはセキュリティの高いＨＴＴＰＳプロトコルが普及しており、電子メールで直接行うより安全性が高い。
【００２０】
ｂ１）上記利用者（Ａ）の要求の都度、端末機（Ｔ）は支払いシステムのサーバ（Ｚ）に通信回線を介して接続し上記設定したＩＤ（Ｂ２）、パスワード（Ｐ２）及び金額（Ｏ）と支払い先（Ｓ１）を提示しその金額（Ｏ）の一部の金額の代替払いを要求する。
【００２１】
ｂ２）支払いシステムのサーバ（Ｚ）は上記利用者（Ａ）からの要求であるか確認するため、提示されたＩＤ（Ｂ３）のパスワード（Ｐ３）が上記ａで設定した該ＩＤ（Ｂ１）のパスワード（Ｐ１）であることを確認する。
【００２２】
上記ａ１及びｂ１における要求は通常利用者（Ａ）が閲覧、取得しようとするホームページコンテンツの提供者が閲覧、取得に際し課金する方法の一つとして本システムを採用し、利用者（Ａ）がこの課金とその代替払いを承諾して本システムのサーバに要求する。
【００２３】
ｃ１）支払いシステムのサーバ（Ｚ）は上記ｂの都度、上記ＩＤ（Ｂ３）、上記金額（Ｏ）、上記代替払い金額（Ｘ）及び上記支払い先（Ｓ１）を支払いデータ（Ｅ１）としてその記憶領域（Ｋ）に保存する。
【００２４】
上記段落（００２０、００２１、００２３）は支払いシステムのサーバ（Ｚ）をＷＷＷサーバとし、そのサーバ（Ｚ）が端末機（Ｔ）上に表示する入力項目の応答で上記データを受信し上記サーバ（Ｚ）のＣＧＩで処理するのが容易である。
【００２５】
利用者（Ａ）と支払システムの運営者との間で予め、又は暗黙の了解によって支払い先（Ｓ１）又は／及び金額（Ｏ）が分かっている場合は、上記提示、保存する支払い先（Ｓ１）又は／及び金額（Ｏ）は提示、保存されなくともよい。しかし支払う場合は必ず支払い先（Ｓ１）と金額（Ｏ）が必要であるから、その場合でも予め又は暗黙の了解により支払い先（Ｓ１）又は／及び金額は提示、保存されたとみなすことができる。
【００２６】
ｄ１）上記ａで提示されたメールアドレス（Ｍ２）へ広告メール（Ｌ）やアンケートメール等の電子メールを発信することにより、ｄ２）支払いシステムの運営者（Ｙ）が収入（Ｗ）を得る。
【００２７】
広告等メール（Ｌ）は支払いシステムの運営者（Ｙ）がサーバ（Ｚ）を用いて行ってもよいし、電子メールアドレス（Ｍ２）を通知された第三者がサーバを用いて行うこともでも実現できる。後者の場合は支払システムの運営者は広告等メールを発信した第三者から収入を得る。
【００２８】
広告メール（Ｌ）による収入（Ｗ）は、その発信した広告メール（Ｌ）の件数による広告料、及び／又はその広告メール（Ｌ）の効果による売上の手数料、アンケートメールなどの調査料などがある。
また一度の代替払い要求に対して利用者（Ａ）のメールアドレス（Ｍ２）に送る広告等メールの件数を予め定めた件数にすれば、利用者（Ａ）にとっても受け取るメールの件数が制限されるので利用しやすくなる。
【００２９】
ｅ１）支払いシステムの運営者（Ｙ）はサーバ（Ｚ）を用い上記ｃで保存された支払いデータ（Ｅ１）の中の代替払い金額（Ｘ）を支払い先（Ｓ１）毎に合算し、ｅ２）上記ｄの広告収入（Ｗ）の中から該支払い先（Ｓ１）へ上記合算した金額（Ｃ）を支払う。
【００３０】
金額（Ｏ）の一部の支払いを行ったわけであるが、残額の支払いについては別途考慮する必要がある。
利用者（Ａ）のＩＤ（Ｂ３）ごとに前払いを受けその中から差額を支払うか、ＩＤ（Ｂ３）毎に差額を合算し請求する方法などがある。
【００３１】
上記通知は保存されたメールアドレス（Ｍ３）への電子メールを送信してその中で直接通知するか、電子メールでホームページのアドレスを送信し間接的に行うことで実現する。ＷＷＷサーバはセキュリティの高いＨＴＴＰＳプロトコルが普及しており、電子メールで直接通知するより安全性が高い。
【００３２】
図４を参照して電子メールを利用した代替払いと残金の請求方法を説明する。
ａ１）利用者（Ａ）の要求により端末機（Ｔ）は支払いシステムのサーバ（Ｚ）に通信回線を介して接続し、利用者（Ａ）のメールアドレス（Ｍ１）を提示してＩＤとパスワードの設定を要求し、ａ２）支払いシステムのサーバは上記提示されたメールアドレス（Ｍ２）を介して上記利用者（Ａ）との間でＩＤ（Ｂ１）とパスワード（Ｐ１）を設定し、ａ３）上記メールアドレス（Ｍ２）と共にその記憶部に保存する。
【００３３】
提示されたメールアドレス（Ｍ２）を介した通信（Ｊ）で上記利用者（Ａ）との間でＩＤ（Ｂ１、Ｂ２）とパスワード（Ｐ１、Ｐ２）を設定するので、提示されたメールアドレス（Ｍ２）が要求をしている利用者（Ａ）本人からのものか否かが確認でき、他人のメールアドレスを利用することが難しくなる。
利用者（Ａ）の端末機（Ｔ）からのメールアドレス（Ｍ１）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
またその後のパスワードの設定は提示されたメールアドレス（Ｍ２）への電子メールを送信してその中で直接やり取りするか、電子メールでホームページのアドレスを送信し間接的に行うことで実現する。ＷＷＷサーバはセキュリティの高いＨＴＴＰＳプロトコルが普及しており、電子メールで直接行うより安全性が高い。
【００３４】
ｂ１）上記利用者（Ａ）の要求の都度、端末機（Ｔ）は支払いシステムのサーバ（Ｚ）に通信回線を介して接続し上記設定したＩＤ（Ｂ２）、パスワード（Ｐ２）及び金額（Ｏ）と支払い先（Ｓ１）を提示しその金額（Ｏ）の一部の金額の代替払いを要求する。
【００３５】
ｂ２）支払いシステムのサーバ（Ｚ）は上記利用者（Ａ）からの要求であるか確認するため、提示されたＩＤ（Ｂ３）のパスワード（Ｐ３）が上記ａで設定した該ＩＤ（Ｂ１）のパスワード（Ｐ１）であることを確認する。
【００３６】
上記ａ１及びｂ１における要求は通常利用者（Ａ）が閲覧、取得しようとするホームページコンテンツの提供者が閲覧、取得に際し課金する方法の一つとして本システムを採用し、利用者（Ａ）がこの課金とその代替払いを承諾して本システムのサーバに要求する。
【００３７】
ｃ１）支払いシステムのサーバ（Ｚ）は上記ｂの都度、上記ＩＤ（Ｂ３）、上記金額（Ｏ）、上記代替払い金額（Ｘ）及び上記支払い先（Ｓ１）を支払いデータ（Ｅ１）としてその記憶領域（Ｋ）に保存する。
【００３８】
上記段落（００３４、００３５、００３７）は支払いシステムのサーバ（Ｚ）をＷＷＷサーバとし、そのサーバ（Ｚ）が端末機（Ｔ）上に表示する入力項目の応答で上記データを受信し上記サーバ（Ｚ）のＣＧＩで処理するのが容易である。
【００３９】
利用者（Ａ）と支払システムの運営者との間で予め、又は暗黙の了解によって支払い先（Ｓ１）又は／及び金額（Ｏ）が分かっている場合は、上記提示、保存する支払い先（Ｓ１）又は／及び金額（Ｏ）は提示、保存されなくともよい。しかし支払う場合は必ず支払い先（Ｓ１）と金額（Ｏ）が必要であるから、その場合でも予め又は暗黙の了解により支払い先（Ｓ１）又は／及び金額は提示、保存されたとみなすことができる。
【００４０】
ｄ１）上記ａで提示されたメールアドレス（Ｍ２）へ広告メール（Ｌ）やアンケートメール等の電子メールを発信することにより、ｄ２）支払いシステムの運営者（Ｙ）が収入（Ｗ）を得る。
【００４１】
広告等メール（Ｌ）は支払いシステムの運営者（Ｙ）がサーバ（Ｚ）を用いて行ってもよいし、メールアドレス（Ｍ２）を通知された第三者がサーバを用いて行うこともでも実現できる。後者の場合は支払システムの運営者は広告等メールを発信した第三者から収入を得る。
【００４２】
広告メール（Ｌ）による収入（Ｗ）は、その発信した広告メール（Ｌ）の件数による広告料、及び／又はその広告メール（Ｌ）の効果による売上の手数料などがある。
また一度の代替払い要求に対して利用者（Ａ）のメールアドレス（Ｍ２）に送る広告等メールの件数を予め定めた件数にすれば、利用者（Ａ）にとっても受け取るメールの件数が制限されるので利用しやすくなる。
【００４３】
ｅ１）支払いシステムの運営者（Ｙ）はサーバ（Ｚ）を用い上記ｃで保存された支払いデータ（Ｅ１）の中の代替払い金額（Ｘ）を支払い先（Ｓ１）毎に合算し、ｅ２）上記ｄの広告収入（Ｗ）の中から該支払い先（Ｓ１）へ上記合算した金額（Ｃ１）を支払う。
【００４４】
ｆ１）支払いシステムの運営者はサーバ（Ｚ）を用い一定期間の上記ｅにおける支払データ（Ｅ１）の金額（Ｏ）から代替金額（Ｘ）を引いた差額をＩＤ（Ｂ３）毎に合算し、ｆ２）保存された該メールアドレス（Ｍ３）を介して上記該利用者（Ａ）に通知し各利用者（Ａ）に残額の支払いを要求する。
【００４５】
上記通知は保存されたメールアドレス（Ｍ３）への電子メールを送信してその中で直接通知するか、電子メールでホームページのアドレスを送信し間接的に行うことで実現する。ＷＷＷサーバはセキュリティの高いＨＴＴＰＳプロトコルが普及しており、電子メールで直接通知するより安全性が高い。
【００４６】
図５を参照して個人データを得て、広告等メールを発信する方法を説明する。
ａ１）メールアドレス（Ｍ１）を提示してＩＤとパスワードの設定を要求する際に、ａ２）支払いシステムのサーバは利用者（Ａ）の趣味、嗜好、専門などの個人データ（Ｉ）を取得して、ａ３）広告等メール（Ｌ）を発信する際に上記取得した個人データを利用する。
【００４７】
利用者（Ａ）の趣味、嗜好、専門等の個人データ（Ｉ）と、広告等メールの対象とするサービス、商品を選別することによりより効果的な広告等メールをすることができる。この方法はすでにオプトインメールで利用されている方法で、本システムではその個人情報（Ｉ）を利用者（Ａ）が最初にパスワードとＩＤを支払システムのサーバ（Ｚ）と利用者（Ａ）の間で設定する際に集めることにより、有料コンテンツとの引き換えで集めることができ効果的である。
【００４８】
個人情報（Ｉ）を取得するためには支払いシステムのサーバ（Ｚ）をＷＷＷサーバとして支払システムの運営者のホームページ上で入力画面を表示して取得するのが簡単である。
【００４９】
図６を参照してＩＤ（Ｂ１）として、提示されたメールアドレスを使用する方法を説明する。
支払いシステムのサーバ（Ｚ）はＩＤ（Ｂ１）として、提示されたメールアドレス（Ｍ２）を使用しそのメールアドレス（Ｍ２）を介した通信（Ｊ）を通して、利用者（Ａ）との間でパスワード（Ｐ１）を設定することにより上記利用者（Ａ）との間でＩＤ（Ｂ１）とパスワード（Ｐ１）を設定する。
【００５０】
メールアドレスはユニークであるのでＩＤ（Ｂ１）として使うことにより、利用者（Ａ）はＩＤ（Ｂ１）を別途覚える必要がない。
【００５１】
図７を参照してＩＤとパスワードをメールアドレスへ送信して設定する方法を説明する。
ａ１）利用者（Ａ）の要求により端末機（Ｔ）は支払いシステムのサーバ（Ｚ）に通信回線を介して接続し利用者（Ａ）のメールアドレス（Ｍ１）を提示してＩＤ（Ｂ１）とパスワード（Ｐ１）の設定を要求し、ａ２）支払いシステムのサーバ（Ｚ）はＩＤ（Ｂ１）を決定し、ａ３）パスワード（Ｐ１）を発行して、ａ４）両者を上記提示されたメールアドレス（Ｍ２）へ電子メール（Ｎ）で送信して上記利用者（Ａ）に通知せしめることにより、上記メールアドレス（Ｍ２）を介して上記利用者（Ａ）との間でＩＤ（Ｂ１、Ｂ２）とパスワード（Ｐ１、Ｐ２）を設定し、ａ５）メールアドレス（Ｍ２）と共にその記憶部（Ｋ）に保存する。
【００５２】
図８を参照してＩＤとパスワードを設定してホームページ上で通知する方法を説明する。
ａ）利用者（Ａ）の要求により端末機（Ｔ）は支払いシステムのＷＷＷサーバ（Ｚ）に通信回線を介してアクセスし、利用者（Ａ）のメールアドレス（Ｍ１）を提示して、ＩＤ（Ｂ１）とパスワード（Ｐ１）の設定を要求する。
【００５３】
ｂ）上記サーバ（Ｚ）は上記アクセス時にアクセスパスワード（Ｓ１）もあわせて提示し、上記サーバ（Ｚ）が承認してアクセスパスワード（Ｓ１）を設定するか、上記サーバ（Ｚ）がアクセスパスワード（Ｓ１）を発行して上記アクセスの応答で利用者（Ａ）に通知して、上記利用者（Ａ）との間でアクセスパスワード（Ｓ１）を設定する。
【００５４】
ｃ１）支払いシステムの上記サーバ（Ｚ）はＩＤ（Ｂ１）を提示されたメールアドレス（Ｍ２）とするか、発行することにより決定し、ｃ２）パスワード（Ｐ１）を発行して、ｃ３）上記メールアドレス（Ｍ２）と共にその記憶部（Ｋ）に保存し、ｃ４）そのＩＤ（Ｂ１）とパスワード（Ｐ１）を表示するホームページ（Ｈ１）のアドレス（Ｌ）を上記メールアドレス（Ｍ２）に送信する。
【００５５】
ｄ１）支払いシステムの上記サーバ（Ｚ）は上記アクセスパスワード（Ｓ１）を提示した端末機（Ｔ）からの要求により、ｄ２）上記ホームページ（Ｈ）を上記端末機（Ｔ）上に表示し、上記ＩＤ（Ｂ１）と上記パスワード（Ｐ１）を通知する。
【００５６】
ホームページのアドレス（Ｌ）はそのアドレスを知らされた利用者（Ａ）にしか分からないから、該利用者（Ａ）以外のものが上記ＩＤ（Ｂ１）とパスワード（Ｐ１）を知ることは出来ない。さらにアクセスパスワード（Ｓ２）も該利用者（Ａ）しか知りえようが無いので安全である。プロトコルに安全性が高いＨＴＴＰＳを利用すれば通信中に盗聴することも難しくなる。
【００５７】
図９を参照してパスワードを提示してＩＤとパスワード設定する方法を説明する。
ａ）利用者（Ａ）の要求により端末機（Ｔ）は支払いシステムのサーバ（Ｚ）に通信回線を介して接続し、利用者（Ａ）のメールアドレス（Ｍ１）、希望するパスワード（Ｐ１）を提示してＩＤ（Ｂ１）とパスワード（Ｐ２）の設定を要求する。
【００５８】
利用者（Ａ）の端末機（Ｔ）からのメールアドレス（Ｍ１）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
【００５９】
ｂ１）支払いシステムのサーバ（Ｚ）は上記提示されたメールアドレス（Ｍ２）へ電子メール（Ｎ）を送信して支払いシステムのホームページ（Ｈ）のアドレス（Ｌ）を通知し、ｂ２）上記要求者は端末機（Ｔ）上にそのホームページ（Ｈ）を表示し、ｂ３）上記サーバはそのホームページ（Ｈ）上で入力されたパスワード（Ｐ３）を上記提示されたパスワード（Ｐ２）と比較し、その電子メール（Ｎ）が上記要求した利用者（Ａ）の端末機（Ｔ）に受信されたか否か確認する。
【００６０】
支払いシステムのサーバ（Ｚ）をＷＷＷサーバとし、そのサーバ（Ｚ）が端末機（Ｔ）上に表示する入力項目の応答で上記データ及び上記要求を受信するのが容易である。確認の電子メールを返信させる場合は支払いシステムのサーバ（Ｚ）をメールサーバとして処理するのが容易である。
【００６１】
パスワード（Ｐ１）を再入力させずに、要求した利用者（Ａ）に送信した電子メールの返信で確認するか、電子メールでアドレスを送信した支払いシステムの確認のホームページ上で確認ボタンをクリックさせることでも実現は容易である。電子メールで確認する場合には送信する電子メールに暗証などを入れ、その暗証を返信に含めさせて送信した電子メールの返信であることが分かるようにする。
【００６２】
ｃ）上記確認が取れた場合に支払いシステムのサーバ（Ｚ）は上記提示されたメールアドレス（Ｍ２）をＩＤ（Ｂ１）として上記パスワード（Ｐ２）とともにその記憶部（Ｋ）に保存する。
【００６３】
上記ｂの確認をホームページ上で行う場合は、その確認をも含めて一連のＣＧＩで保存まで行う。電子メールの返信で行う場合は電子メールを監視し、保存処理を行う。
【００６４】
図１０を参照してＩＤとパスワードを提示してＩＤとパスワード設定する方法を説明する。
ａ）利用者（Ａ）の要求により端末機（Ｔ）は支払いシステムのサーバ（Ｚ）に通信回線を介して接続し、その利用者（Ａ）のメールアドレス（Ｍ１）と利用者（Ａ）の希望するＩＤ（Ｂ１）とパスワード（Ｐ１）を提示してＩＤ（Ｂ２）とパスワード（Ｐ２）の設定を要求する。
【００６５】
利用者（Ａ）の端末機（Ｔ）からのメールアドレス（Ｍ１）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
またここで提示されたＩＤのユニーク性も確認し、ユニークでない場合は受け付けられないことを利用者（Ａ）に通知するのがよい。
【００６６】
ｂ１）支払いシステムのサーバ（Ｚ）は上記提示されたメールアドレス（Ｍ２）へ電子メール（Ｎ）を送信して支払いシステムのホームページ（Ｈ）のアドレス（Ｌ）を通知し、ｂ２）上記要求者は端末機（Ｔ）上にそのホームページ（Ｈ）を表示し、ｂ３）上記サーバはそのホームページ（Ｈ）上で入力されたＩＤ（Ｂ３）、パスワード（Ｐ３）を上記提示されたＩＤ（Ｂ２）、パスワード（Ｐ２）と比較し、その電子メール（Ｎ）が上記要求した利用者（Ａ）の端末機（Ｔ）に受信されたか否か確認する。
【００６７】
支払いシステムのサーバ（Ｚ）をＷＷＷサーバとし、そのサーバ（Ｚ）が端末機（Ｔ）上に表示する入力項目の応答で上記データ及び上記要求を受信するのが容易である。確認の電子メールを返信させる場合は支払いシステムのサーバ（Ｚ）をメールサーバとして処理するのが容易である。
【００６８】
ＩＤ（Ｂ３）、パスワード（Ｐ３）を再入力させずに、要求した利用者（Ａ）に送信した電子メールの返信で確認するか、電子メールでアドレスを送信した支払いシステムの確認のホームページ上で確認ボタンをクリックさせることでも実現は容易である。電子メールで確認する場合には送信する電子メールに暗証などを入れ、その暗証を返信に含めさせて送信した電子メールの返信であることが分かるようにする。
【００６９】
ｃ）上記確認が取れた場合に支払いシステムのサーバ（Ｚ）は上記提示されたメールアドレス（Ｍ２）、ＩＤ（Ｂ２）及びパスワード（Ｐ２）をその記憶部（Ｋ）に保存する。
【００７０】
上記ｂの確認をホームページ上で行う場合は、その確認をも含めて一連のＣＧＩで保存まで行う。電子メールの返信で行う場合は電子メールの返信をプログラムで監視し、そのプログラム内で保存処理を行う。
【００７１】
図１１を参照してメールアドレスを調べてＩＤとパスワードを設定する方法を説明する。
ａ1）支払いシステムのサーバ（Ｚ）は提示されたメールアドレス（Ｍ）のドメインが予め登録されたドメインのリスト（Ｄ）にあることを確認して、ａ２）ＩＤ（Ｂ）とパスワード（Ｐ）を設定して、ａ３）メールアドレス（Ｍ）と共にその記憶部（Ｋ）に保存する。
【００７２】
電子メールによる支払いシステムはメールアドレス（Ｍ）を介して広告、請求を行うので、メールアドレス（Ｍ）の信頼性は重要である。ブラックリストを用い排除することは通常行われているが、ブラックリストに載る前の利用者（Ａ）を分別するため、許可するメールアドレスのドメインを予め登録しておき排除する手法を採る。
【００７３】
利用者（Ａ）の端末機（Ｔ）からのメールアドレス（Ｍ）の提示及び設定要求は支払いシステムのサーバ（Ｚ）をＷＷＷサーバとし、そのサーバ（Ｚ）が端末機（Ｔ）上に表示する入力項目の応答で上記データ及び上記要求を受信するのが容易である。
受信した要求をＣＧＩでうけその中でドメインの確認を行う。
【図面の簡単な説明】
【図１】電子メールを利用した代替払いの共通実施方法
【図２】電子メールを利用した代替払いによる支払い方法
【図３】電子メールを利用した一部の金額の代替払い方法
【図４】電子メールを利用した代替払いと残金の請求方法
【図５】個人データを得て、広告等メールを発信する方法
【図６】ＩＤとして、提示されたメールアドレスを使用する方法
【図７】ＩＤとパスワードをメールアドレスへ送信して設定する方法
【図８】ＩＤとパスワードを設定してホームページ上で通知する方法
【図９】パスワードを提示してＩＤとパスワード設定する方法
【図１０】ＩＤとパスワードを提示してＩＤとパスワード設定する方法
【図１１】メールアドレスを調べてＩＤとパスワードを設定する方法
【符号の説明】
（図１）
Ａ１〜Ａｎ．利用者；  Ｆ１〜Ｆｎ．有料コンテンツ提供者；  Ｌ１〜Ｌｎ．広告等メール；  Ｔ１〜Ｔｎ．端末機；  Ｗ．収入；  Ｘ１〜Ｘｎ．有料コンテンツ提供者のサーバ；  Ｙ．支払いシステムの運営者；  Ｚ．支払いシステムのサーバ；
（図２）
Ａ．利用者；  Ｂ１．サーバにある設定したＩＤ；  Ｂ２．端末機にある設定したＩＤ；  Ｂ３．支払い要求時のＩＤ；  Ｃ．合算金額；  Ｅ１．支払データ；Ｊ．メールアドレスを介した通信；  Ｋ．記憶部；  Ｌ．広告等メール；  Ｍ１．利用者のメールアドレス；  Ｍ２．提示されたメールアドレス；  Ｍ３．保存されたメールアドレス；  Ｏ．金額；  Ｐ１．サーバにある設定したパスワード；  Ｐ２．端末機にある設定したパスワード；  Ｐ３．支払い時のパスワード；  Ｓ１．支払い先；  Ｔ．利用者の端末機；  Ｗ．広告等収入；  Ｙ．支払いシステムの運営者；  Ｚ．支払いシステムのサーバ；
（図３）
Ａ．利用者；  Ｂ１．サーバにある設定したＩＤ；  Ｂ２．端末機にある設定したＩＤ；  Ｂ３．支払い要求時のＩＤ；  Ｃ１．代替合算金額；  Ｅ１．支払データ；  Ｊ．メールアドレスを介した通信；  Ｋ．記憶部；  Ｌ．広告等メール；  Ｍ１．利用者のメールアドレス；  Ｍ２．提示されたメールアドレス；  Ｍ３．保存されたメールアドレス；  Ｏ．金額；  Ｐ１．サーバにある設定したパスワード；  Ｐ２．端末機にある設定したパスワード；  Ｐ３．支払い時のパスワード；  Ｓ１．支払い先；  Ｔ．利用者の端末機；  Ｗ．広告収入；  Ｘ．代替金額；  Ｙ．支払いシステムの運営者；  Ｚ．支払いシステムのサーバ；
（図４）
Ａ．利用者；  Ｂ１．サーバにある設定したＩＤ；  Ｂ２．端末機にある設定したＩＤ；  Ｂ３．支払い要求時のＩＤ；  Ｃ１．代替合算金額；  Ｅ１．支払データ；  Ｊ．メールアドレスを介した通信；  Ｋ．記憶部；  Ｌ．広告等メール；  Ｍ１．利用者のメールアドレス；  Ｍ２．提示されたメールアドレス；  Ｍ３．保存されたメールアドレス；  Ｏ．金額；  Ｐ１．サーバにある設定したパスワード；  Ｐ２．端末機にある設定したパスワード；  Ｐ３．支払い時のパスワード；  Ｓ１．支払い先；  Ｔ．利用者の端末機；  Ｕ．残額の合算金額；  Ｗ．広告収入；  Ｘ．代替金額；  Ｙ．支払いシステムの運営者；  Ｚ．支払いシステムのサーバ；
（図５）
Ａ．利用者；  Ｉ．個人情報；  Ｌ．広告等メール；  Ｍ１．利用者のメールアドレス；  Ｔ．利用者の端末機；  Ｚ．支払いシステムのサーバ；
（図６）
Ａ．利用者；  Ｂ１．サーバにある設定したＩＤ（メールアドレス）；  Ｊ．メールアドレスを介した通信；  Ｋ．記憶部；  Ｍ１．利用者のメールアドレス；Ｍ２．提示されたメールアドレス；  Ｐ１．サーバにある設定したパスワード；  Ｐ２．端末機にある設定したパスワード；  Ｔ．利用者の端末機；  Ｚ．支払いシステムのサーバ；
（図７）
Ａ．利用者；  Ｂ１．サーバが決定したＩＤ；  Ｂ２．端末機に送信されたＩＤ；  Ｋ．記憶部；  Ｍ１．利用者のメールアドレス；  Ｍ２．提示されたメールアドレス；  Ｍ３．保存されたメールアドレス；  Ｎ．メールアドレスへの電子メール；  Ｐ１．サーバが発行したパスワード；  Ｐ２．端末機に送信されたパスワード；  Ｔ．利用者の端末機；  Ｚ．支払いシステムのサーバ；
（図８）
Ａ．利用者；  Ｂ１．サーバが決定したＩＤ；  Ｂ２．端末機に表示されたＩＤ；  Ｈ．ＩＤ、パスワード表示のホームページ；  Ｋ．記憶部；  Ｌ．ホームページアドレス；  Ｍ１．利用者のメールアドレス；  Ｍ２．提示されたメールアドレス；  Ｍ３．保存されたメールアドレス；  Ｎ．メールアドレスへの電子メール；  Ｐ１．サーバが発行したパスワード；  Ｐ２．端末機に表示されたパスワード；  Ｓ１．アクセスパスワード（サーバ）；  Ｓ２．アクセスパスワード（端末機）；  Ｔ．利用者の端末機；  Ｚ．支払いシステムのＷＷＷサーバ；
（図９）
Ａ．利用者；  Ｂ１．ＩＤ（メールアドレス）；  Ｈ．パスワード入力のホームページ；  Ｋ．記憶部；  Ｌ．ホームページアドレス；  Ｍ１．利用者のメールアドレス；  Ｍ２．提示されたメールアドレス；  Ｎ．メールアドレスへの電子メール；  Ｐ１．端末機が提示するパスワード；  Ｐ２．サーバに提示されたパスワード；  Ｐ３．サーバに保存されたパスワード；  Ｔ．利用者の端末機；  Ｚ．支払いシステムのサーバ；
（図１０）
Ａ．利用者；  Ｂ１．端末機が提示するＩＤ；  Ｂ２．提示されたＩＤ；  Ｂ３．入力されたＩＤ；  Ｂ４．保存されたＩＤ；  Ｈ．ＩＤ、パスワード入力のホームページ；  Ｋ．記憶部；  Ｌ．ホームページアドレス；  Ｍ１．利用者のメールアドレス；  Ｍ２．提示されたメールアドレス；  Ｍ４．保存されたメールアドレス；  Ｎ．メールアドレスへの電子メール；  Ｐ１．端末機が提示するパスワード；  Ｐ２．サーバに提示されたパスワード；  Ｐ３．入力されたパスワード；  Ｐ４．保存されたパスワード；  Ｔ．利用者の端末機；  Ｚ．支払いシステムのサーバ；
（図１１）
Ａ．利用者；  Ｂ．ＩＤ；  Ｄ．ドメインリスト；  Ｋ．記憶部；  Ｍ．メールアドレス；  Ｐ．パスワード；  Ｔ．利用者の端末機；  Ｚ．支払いシステムのサーバ；
【図１】
2004206270.tif 000003
【図２】
2004206270.tif 000004
【図３】
2004206270.tif 000005
【図４】
2004206270.tif 000006
【図５】
2004206270.tif 000007
【図６】
2004206270.tif 000008
【図７】
2004206270.tif 000009
【図８】
2004206270.tif 000010
【図９】
2004206270.tif 000011
【図１０】
2004206270.tif 000012
【図１１】
2004206270.tif 000013